(57)【要約】【課題】携帯電話機等の電子機器の凹部に受電端子が形成されている場合に充電器の充電端子が電子機器のケース部に擦れることなく受電端子に直接的に摺接接続可能であり、対応する電子機器側の受電端子面のワイピング効果の高い受電端子及び充電端子構造の提供を目的とする。【解決手段】電子機器用充電器において、アクチュエータの回動軸を回転中心にし、一端に設けた突出部が充電器ケースの開口部より外部に突出するように当該アクチュエータをバネ付勢させながら充電器ケース内に取り付け、このアクチュエータの他端に押圧部を形成し、前記開口部より充電端子の接点部が外部に突出するようにバネ付勢された充電端子を、前記押圧部にてこの充電器ケース内方向に押圧させ、当該アクチュエータの突出部を押し込むように電子機器の受電端子を前記開口部に臨ませて装着した後に、充電端子が突出し電子機器側の受電端子に接続するようにした。  また、前記充電器側の充電端子接点部に対して、対峙方向に電子機器側の受電端子面を傾斜させて配設した。【選択図】  図３
2005117700.tif 000002
【特許請求の範囲】
【請求項１】
電子機器用充電器において、アクチュエータの回動軸を回転中心にし、一端に設けた突出部が充電器ケースの開口部より外部に突出するように当該アクチュエータをバネ付勢させながら充電器ケース内に取り付け、このアクチュエータの他端に押圧部を形成し、前記開口部より充電端子の接点部が外部に突出するようにバネ付勢された充電端子を、前記押圧部にてこの充電器ケース内方向に押圧させ、当該アクチュエータの突出部を押し込むように電子機器の受電端子を前記開口部に臨ませて装着した後に、充電端子が突出し電子機器側の受電端子に接続するようにしたことを特徴とする充電器の充電端子構造。
【請求項２】
前記充電器側の充電端子接点部に対して、対峙方向に電子機器側の受電端子面を傾斜させて配設したことを特徴とする電子機器の受電端子構造。
【発明の詳細な説明】
【技術分野】
【０００１】
本発明は、接続不良防止効果の高い、携帯電話機等の電子機器の受電端子構造及びこれに対応させた充電器の充電端子構造に係る。
【背景技術】
【０００２】
携帯電話機（以下電話機と称する場合もある）等の電子機器においては内蔵している電池を充電するために充電器が用いられる。
このような充電器では、従来その充電端子が常時外部に露出しているものが一般的であり、金属製品にて短絡する恐れや、人が触れた際に低電圧ではあるが不快感を感じたり、人によっては傷害（電激傷害）を発生させる恐れがあった。
また電子機器の充電器への装着時に、電子機器の受電端子は安全上ケース部に凹部を設けて取り付けられているので、充電器の充電端子部分が外部に突出していると、まず先にケース部分にあたり擦れてしまい、樹脂や塗装を剥がし、充電器接点部分に付着し、充電不良を起こす場合もある。
また、電子機器の受電端子や、充電器の充電端子の接点部は経時変化により絶縁性の皮膜が形成される場合もあり、このような絶縁性皮膜を除去しないと充電不良の原因となる場合もあった。
特開２００３−１６９１２１号公報、特開２０００−１３４８０８号公報には充電端子を突出させて、携帯電話機などの受電端子に接触させる技術が開示されているが、充電端子が携帯電話機の装着方向に対向して突出するだけなので、絶縁性皮膜への対応が不充分であった。
特開２００２−２７２００４号公報には、携帯通信機が充電器に装着されていない場合に充電端子を充電器ケースに収容し、その充電端子用の切り欠きにブラシを付けて、充電端子が突出する時に、この充電端子の洗浄を行う技術が開示され、特開平１０−１７２６１７号公報には、充電器の充電端子の開口部に移動可能な遮蔽部材を設け、非充電時には充電用端子をこの遮蔽部材で覆った状態とし、その遮蔽部材に設けたブラシにより、充電用端子のクリーニングを行う技術が開示されているが、携帯通信機側の受電端子の絶縁皮膜に対しては効果がない。
【０００３】
【特許文献１】特開２００３−１６９１２１号公報
【特許文献２】特開２０００−１３４８０８号公報
【特許文献３】特開２００２−２７２００４号公報
【特許文献４】特開平１０−１７２６１７号公報
【発明の開示】
【発明が解決しようとする課題】
【０００４】
本発明は上記技術的課題に鑑みて、携帯電話機等の電子機器の凹部に受電端子が形成されている場合に充電器の充電端子が電子機器のケース部に擦れることなく受電端子に直接的に摺接接続可能であり、対応する電子機器側の受電端子面のワイピング効果の高い受電端子及び充電端子構造の提供を目的とする。
【課題を解決するための手段】
【０００５】
請求項１記載の発明は、電子機器用充電器において、アクチュエータの回動軸を回転中心にし、一端に設けた突出部が充電器ケースの開口部より外部に突出するように当該アクチュエータをバネ付勢させながら充電器ケース内に取り付け、このアクチュエータの他端に押圧部を形成し、前記開口部より充電端子の接点部が外部に突出するようにバネ付勢された充電端子を、前記押圧部にてこの充電器ケース内方向に押圧させ、当該アクチュエータの突出部を押し込むように電子機器の受電端子を前記開口部に臨ませて装着した後に、充電端子が突出し電子機器側の受電端子に接続するようにした点である。
【０００６】
アクチュエータの回動軸を回転中心にし、一端に設けた突出部が充電器ケース開口部より外部に突出するようにバネ付勢されているとは、充電器に電子機器が装着されていない状態ではアクチュエータの突出部が上記ケース開口部より突出するようにバネ付勢されていて、電子機器が充電器に装着される時には電子機器のケース部にこの突出部がバネ弾性に対抗して押し込まれるように配置したことをいう。
【０００７】
アクチュエータの突出部が電子機器のケースに当たり押し込まれると回動軸を中心に突出部の反対側に形成された押圧部は上昇後退することになるので、この押圧部にて充電端子がケース内方向に押圧されていたのが解除され、充電端子の接点部も上記充電器ケースのアクチュエータ突出部用と同じ開口部より突出するようにバネ付勢されているのでアクチュエータの突出部が押し込まれる方向と逆方向に突出する。
従って、本発明においては電子機器が装着されている状態で充電端子の接点部が必ずしも充電器のケース内に納まっている必要はなく、充電端子よりもアクチュエータの突出部の方が高ければ良い。
電子機器未装着時において、充電端子の接点部より上にアクチュエータの突出部の先端が位置していれば、このアクチュエータの突出部にて充電端子の先端が保護されるからである。
また、アクチュエータの突出部が電子機器のケースに当たり、押し込まれることによるアクチュエータの回転量に合わせて充電端子が突出するので充電端子の接点部が電子機器側の受電端子の表面を擦るように装着されることになる。
【０００８】
請求項２記載の発明は、前記充電器側の充電端子接点部に対して、対峙方向に電子機器側の受電端子面を傾斜させて配設したことにより、充電端子の接点部で受電端子の表面がより強く擦るように作用する。
ここで、対峙方向に受電端子面を傾斜させたとは、充電端子が突出する方向に立ち向かうように傾斜させたことをいう。
【発明の効果】
【０００９】
本発明においては、アクチュエータの突出部が電子機器のケースに押し込まれるように回動することでバネ付勢された充電端子の接点部が突出するので、そのときは電子機器側の受電端子が充電器側の充電端子が突出する開口部の位置にあるので、電子機器のケース部分と充電端子の干渉は防止され、ケース部分と充電端子接点部の摺接による充電端子表面への樹脂や塗膜の付着が無く接触不良を防止できる。
また、電子機器がスライド装着する時に電子機器の受電端子表面を充電端子接点部が擦るように摺動するので、仮に接点端子に絶縁性の皮膜や汚れが形成されていたとしても、この皮膜等を擦って取り除くことができる。
この、充電端子接点部による電子機器受電端子表面のワイピング効果にて、接触不良は防止される。
また、電子機器側の受電端子表面を充電端子の接点部に対峙するように即ち、立ち向かうように傾斜させたので、さらにワイピング効果が高くなる。
【発明を実施するための最良の形態】
【００１０】
本発明に係る充電器１０の実施例の斜視図を図１に示し、図２に部品構成図、図３に充電端子の動作図を示す。
なお、電子機器としては充電仕様のものが全て対象になるが、携帯電話機を例に説明する。
まず全体の動きを図１にて説明すると、充電される携帯電話機は充電器１０の充電器上ケース１２上面に設けられたガイド１３に沿ってスライドさせて装着する。
そのスライドの際に携帯電話機のケース部が先にアクチュエータ突出部１６ａを充電器上ケース１２内に押し込み、そのアクチュエータ１６の回動に連動して、充電器の充電端子突出用開口部１５からバネ付勢された充電端子１１の接点部１１ｃが突出し、携帯電話機の受電端子に接触する構造になっている。
【００１１】
次に図３に基づいて充電端子の動作を具体的に説明する。
携帯電話機が装着されていない状態を図３（イ）に示す。
アクチュエータ１６はアクチュエータ回動軸１６ｃにより充電器上ケース１２に回動可能に取り付けられ、アクチュエーの突出部１６ａがアクチュエータバネ（トーションバネ）１７により充電器上ケースの突出用開口部１５から突出するようにバネ付勢されている。
アクチュエータバネ１７はトーションバネになっていて、図２及び図３（イ）に示すように一端１７ａが充電器ケース側に、他端１７ｃがアクチュエータ側に拘束されているので、コイル部１７ｂにてねじれ弾性が生じる。
また、充電端子１１もコイルバネ部１１ａに連結部１１ｂを介して充電器上ケース１２の開口部１５から上部に充電端子の接点部１１ｃが突出するように充電器ケース内の基板等に基板接続側１１ｄを介して取り付けられているが、携帯電話機が装着されている状態では図３（イ）に示すようにアクチュエータ１６に設けられた突起状の充電端子押圧部１６ｂにより充電端子１１のコイルバネ部１１ａとの連結部１１ｂを下方向に押圧していて充電端子の接点部１１ｃがアクチュエータ１６の突出部１６ａより上に突出しないようになっている。
従って、アクチュエータバネ１７の方が充電端子１１のコイルバネ部１１ａより強く設定されていることになる。
【００１２】
次に携帯電話機を充電する場合に、図３（ロ）に示すように携帯電話機１を充電器上ケース１２のガイド部１３に沿ってスライドさせる。
なお、携帯電話機は説明上分かりやすいようにケース部に斜線を入れてあり、このケース部に凹部を設けて受電端子２が形成されている。
このように携帯電話機の受電端子は外部に触れて放電したりしないように一般的にケースに凹部を形成して取り付けられていることから、アクチュエータ１６の突出部１６ａが携帯電話機のケース部３にまず当たることになる。
この突出部１６ａが電話機のケース部３に押されると図３（ハ）に示すように、アクチュエータ１６は回転軸１６ｃを中心にしてＷの方向に回動するので充電端子の接点部１１ｃを下部方向に押圧していたアクチュエータの押圧部１６ｂが上昇移動する。
すると、充電端子接点部１１ｃがコイルバネ部１１ａでバネ付勢されているので、このアクチュエータ１６の回動に連動してｆ１の方向に突出し、電話機の凹部に取り付けられている受電端子に当たる。
携帯電話機の受電端子２に充電端子の接点部１１ｃが当たりはじめた図３（ハ）Ｓ１の位置から図３（ニ）に示すＳ２の状態まで完全に装着される間に充電端子接点部１１ｃは受電端子２の表面を擦べりながらｆ１の方向にバネ付勢されることになるので接点部が確実に接続される。
このときに受電端子２の表面が充電端子に立ち向かうように傾斜して配置されているので、強く表面を擦るように充電端子の接点部が摺接するのでワイピング作用が大きい。
【図面の簡単な説明】
【００１３】
【図１】本発明に係る携帯電話用充電器の外観斜視図を示す。
【図２】本発明に係る携帯電話用充電器のケースと充電器充電端子部分の要部分解図を示す。
【図３】充電器に携帯電話を装着する際の充電端子の動作を表す。
【符号の説明】
【００１４】
１      携帯電話機
２      携帯電話機の受電端子
３      携帯電話機ケース部
１０    充電器
１１    充電端子
１１ａ  コイルバネ部
１１ｂ  充電端子とコイルバネ部の連結部
１１ｃ  充電端子接点部
１１ｄ  充電端子の基板接続側
１２    充電器上ケース
１３    ガイド部
１４    充電器下ケース
１５    充電端子及びアクチュエータ突出部の突出用開口部
１６    アクチュエータ
１６ａ  アクチュエータ突出部
１６ｂ  アクチュエータの充電端子押圧部
１６ｃ  アクチュエータ回動軸
１７    アクチュエータバネ（トーションバネ）
【図１】
2005117700.tif 000003
【図２】
2005117700.tif 000004
【図３】
2005117700.tif 000005